(57)【要約】【課題】複数の光ファイバテープ心線を集合して保持するにあたって、光ファイバテープ心線を精度よく位置決めでき、かつ光ファイバテープ心線の位置の再調整が可能となる光ファイバ保持部材を提供する。【解決手段】積層された複数の光ファイバテープ心線４に装着される保持基体２と、保持基体２に開閉自在に取り付けられた蓋部３とを備えた光ファイバ保持部材１。保持基体２は、光ファイバテープ心線４を受容する本体部５と、本体部５から延出して複数の光ファイバテープ心線４の一側部４ａに当接する押さえ片６とを有する。蓋部３には、蓋部３を閉じた状態としたときに押さえ片６を内方に押圧することによって、光ファイバテープ心線４の一側部４ａを他側方に向けて押圧する押圧部６が形成されている。【選択図】図１
2011081311.tif 000002
【特許請求の範囲】
【請求項１】
積層された複数の光ファイバテープ心線に装着される保持基体と、前記保持基体に開閉自在に取り付けられた蓋部とを備え、
前記保持基体は、前記光ファイバテープ心線を受容する本体部と、前記本体部から延出して前記複数の光ファイバテープ心線の一側部に当接する押さえ片とを有し、
前記蓋部には、この蓋部を前記保持基体に対し閉じた状態としたときに前記押さえ片を内方に押圧することによって、前記光ファイバテープ心線の一側部を他側方に向けて押圧する押圧部が形成されていることを特徴とする光ファイバ保持部材。
【請求項２】
前記蓋部の押圧部によって前記押さえ片が内方に押圧されることによって、前記光ファイバテープ心線が前記本体部に向けて押圧されることを特徴とする請求項１に記載の光ファイバ保持部材。
【請求項３】
前記蓋部は、前記本体部に対し回動自在にヒンジ結合され、前記回動により前記保持基体に対し開閉することを特徴とする請求項１または２に記載の光ファイバ保持部材。
【請求項４】
前記蓋部は、前記回動により閉止状態とする際に、前記押圧部が前記押さえ片に沿う方向に移動して前記押さえ片に重なった状態となって前記押さえ片を押圧することを特徴とする請求項３に記載の光ファイバ保持部材。
【請求項５】
前記蓋部は、前記回動により閉止状態とする際に、前記押圧部が前記押さえ片に交差する方向に移動して前記押さえ片に重なった状態となって前記押さえ片を押圧することを特徴とする請求項３に記載の光ファイバ保持部材。
【請求項６】
前記押さえ片は、前記本体部の両側部に設けられ、前記蓋部を前記保持基体に対し閉じた状態としたときに前記押さえ片が内方に押圧されることによって、前記光ファイバテープ心線を両側方から押圧することを特徴とする請求項１に記載の光ファイバ保持部材。
【請求項７】
前記押さえ片は、弾性的に曲げ変形可能とされていることを特徴とする請求項１〜６のうちいずれか１項に記載の光ファイバ保持部材。
【発明の詳細な説明】
【技術分野】
【０００１】
本発明は、光ファイバテープ心線を整列して保持する光ファイバ保持部材に関する。
【背景技術】
【０００２】
光ファイバテープ心線は、複数積層した状態で、熱収縮チューブからなる光ファイバ保持部材により集合して用いられることがある。これによって、光ファイバテープ心線の取り扱いが容易になる。
【先行技術文献】
【特許文献】
【０００３】
【特許文献１】特開２００２−１３９６３４号公報
【発明の概要】
【発明が解決しようとする課題】
【０００４】
しかしながら、前記熱収縮チューブからなる保持部材は、使用にあたって高温に加熱することが必要となるため、客先での作業が難しいという問題がある。
また、前記保持部材は、いったん収縮させると緩めることはできないため、この保持部材により集合させた後の光ファイバテープ心線の位置の再調整は難しい。このため、製品出荷時に光ファイバテープ心線を高精度に位置決めすることが必要であり、再調整が可能となる保持部材が要望されている。
本発明は、上記課題に鑑みてなされたもので、複数の光ファイバテープ心線を集合して保持するにあたって、光ファイバテープ心線を精度よく位置決めでき、かつ光ファイバテープ心線の位置の再調整が可能となる光ファイバ保持部材を提供することを目的とする。
【課題を解決するための手段】
【０００５】
本発明の請求項１にかかる発明は、積層された複数の光ファイバテープ心線に装着される保持基体と、前記保持基体に開閉自在に取り付けられた蓋部とを備え、前記保持基体は、前記光ファイバテープ心線を受容する本体部と、前記本体部から延出して前記複数の光ファイバテープ心線の一側部に当接する押さえ片とを有し、前記蓋部には、この蓋部を前記保持基体に対し閉じた状態としたときに前記押さえ片を内方に押圧することによって、前記光ファイバテープ心線の一側部を他側方に向けて押圧する押圧部が形成されている光ファイバ保持部材を提供する。
本発明の請求項２にかかる発明は、請求項１において、前記蓋部の押圧部によって前記押さえ片が内方に押圧されることによって、前記光ファイバテープ心線が前記本体部に向けて押圧される光ファイバ保持部材である。
本発明の請求項３にかかる発明は、請求項１または２において、前記蓋部が、前記本体部に対し回動自在にヒンジ結合され、前記回動により前記保持基体に対し開閉する光ファイバ保持部材である。
本発明の請求項４にかかる発明は、請求項３において、前記蓋部が、前記回動により閉止状態とする際に、前記押圧部が前記押さえ片に沿う方向に移動して前記押さえ片に重なった状態となって前記押さえ片を押圧する光ファイバ保持部材である。
本発明の請求項５にかかる発明は、請求項３において、前記蓋部が、前記回動により閉止状態とする際に、前記押圧部が前記押さえ片に交差する方向に移動して前記押さえ片に重なった状態となって前記押さえ片を押圧する光ファイバ保持部材である。
本発明の請求項６にかかる発明は、請求項１において、前記押さえ片が、前記本体部の両側部に設けられ、前記蓋部を前記保持基体に対し閉じた状態としたときに前記押さえ片が内方に押圧されることによって、前記光ファイバテープ心線を両側方から押圧する光ファイバ保持部材である。
本発明の請求項７にかかる発明は、請求項１〜６のうちいずれか１項において、前記押さえ片が、弾性的に曲げ変形可能とされている光ファイバ保持部材である。
【発明の効果】
【０００６】
本発明によれば、蓋部を閉止状態とすることによって、押圧部が押さえ片を内方に押圧し、押さえ片が光ファイバテープ心線の一側部を他側方に押圧する。
このため、光ファイバテープ心線は幅方向の位置が揃った状態で精度よく位置決めされて集合される。
本発明では、熱収縮チューブと異なり、加熱の必要がなく、加熱による高温で光ファイバテープ心線に悪影響が及ぶ心配がない。
また、蓋部を回動させて開放状態とすると、押さえ片による押圧力が弱まるため、光ファイバテープ心線を長さ方向に移動させるのが容易になり、その長さ方向位置の調整を容易に行うことができる。
【図面の簡単な説明】
【０００７】
【図１】本発明の第１の実施形態である光ファイバ保持部材を示す斜視図である。
【図２】光ファイバ保持部材を示す斜視図である。
【図３】光ファイバ保持部材を下方側から見た斜視図である。
【図４】光ファイバ保持部材の下面図である。
【図５】本発明の第２の実施形態である光ファイバ保持部材を示す下面図である。
【図６】本発明の第３の実施形態である光ファイバ保持部材を示す下面図である。
【発明を実施するための形態】
【０００８】
以下、本発明の第１の実施形態を、図面を参照して説明する。
図１は本発明の第１の実施形態である光ファイバ保持部材１を示す斜視図であり、蓋部３を開放した状態を示す。図２は光ファイバ保持部材１を示す斜視図であり、蓋部３を閉じた状態を示す。図３は光ファイバ保持部材１を斜め下方から見た斜視図である。図４は光ファイバ保持部材１を示す下面図である。
【０００９】
図１および図２に示すように、光ファイバ保持部材１は、光ファイバテープ心線４（リボンファイバ）に装着される保持基体２と、保持基体２に取り付けられた蓋部３とを備えている。
以下の説明において、図１に示す保持基体２の一端方向および他端方向をそれぞれ前方および後方という。
図１に示すように、保持基体２は、光ファイバテープ心線４を受容する本体部５と、本体部５から延出する押さえ片６とを有する。
【００１０】
本体部５は、一端筒部７と、その後方に設けられた断面Ｕ字形の受け部８と、その後方に設けられた他端筒部９とからなる。
図１および図３に示すように、一端筒部７は、底板７ａと、その両側縁に立設された側板７ｂ、７ｂと、これらの上縁に設けられた天板７ｃとからなる断面略矩形の筒体である。
側板７ｂ、７ｂの外面には、蓋部３の係止凹部１１が係止する係止凸部１２が形成されている。
【００１１】
受け部８は、底板８ａと、その一側縁に立設された側板８ｂと、その上縁に設けられた天板８ｃとからなる断面Ｕ字形に形成されている。
他端筒部９は、底板９ａと、その両側縁に立設された側板９ｂ、９ｂと、これらの上縁に設けられた天板９ｃとからなる断面略矩形の筒体である。
側板９ｂ、９ｂの外面には、蓋部３がヒンジ結合されるヒンジ部１３が設けられている。
【００１２】
図１、図３および図４に示すように、受け部８の底板８ａの幅寸法（前後方向に対し垂直な方向の寸法）は、底板７ａ、９ａの幅寸法より小さい。天板８ｃの幅寸法は、天板７ｃ、９ｃの幅寸法より小さい。図示例では、底板８ａおよび天板８ｃの幅寸法は、底板７ａ、９ａおよび天板７ｃ、９ｃの幅寸法の約半分となっている。
このため、底板７ａ〜９ａから構成される本体部５の底板５ａは、長さ方向中央を含む部分の一方の側部に矩形状の切り欠き５ｄが形成された形状である。
同様に、天板７ｃ〜９ｃから構成される天板５ｃも、長さ方向中央を含む部分の一方の側部に矩形状の切り欠き５ｅが形成された形状である。
この切り欠き５ｄ、５ｅ部分は側板もないため、この本体部５の切り欠き５ｆ（底板、天板および側板の切り欠き）によって光ファイバテープ心線４の一側部４ａが本体部５外に露出した状態となっている。
【００１３】
底板５ａおよび天板５ｃは、互いに平行に形成されており、側板７ｂ〜９ｂから構成される側板５ｂの内面は、底板５ａおよび天板５ｃに対し垂直（または略垂直）とするのが好ましい。
【００１４】
押さえ片６は、他端筒部９の一方の側板９ｂの前端から傾斜しつつ前方に延びる傾斜部６ａと、傾斜部６ａの先端から前方に延びる当接部６ｂとからなる。
傾斜部６ａは、前方に向けて受け部８に近づく方向に傾斜している。
当接部６ｂは、本体部５とほぼ同じ高さ寸法を有する板状とされ、その内面は底板５ａおよび天板５ｃに対し垂直（または略垂直）とするのが好ましい。
当接部６ｂ内面を底板５ａおよび天板５ｃに対し垂直（または略垂直）とすると、この内面は本体部５の側板５ｂの内面に対し平行（または略平行）となる。
押さえ片６は、先端が受け部８に接近および離間する方向に弾性的に曲げ変形可能であることが好ましい。押さえ片６は、本体部５に光ファイバテープ心線４を挿通した際に、当接部６ｂが光ファイバテープ心線４の一側部４ａに当接できるように形成されている。
押さえ片６は、当接部６ｂが光ファイバテープ心線４を軽く側方に押圧するようにしてもよい。
押さえ片６の外面の上部には、上縁に向かって内面に近づくように傾斜する傾斜面６ｃが形成されていることが望ましい。
【００１５】
本体部５の内面、例えば底板５ａ、天板５ｃ、側板５ｂ、押さえ片６等の内面には、ゴムなどの樹脂からなる滑止層を形成すると、光ファイバテープ心線４の位置ずれを防ぐことができるため好ましい。
【００１６】
蓋部３は、天板３ａと、その両側縁から垂下する側板３ｂ、３ｂとを備えており、側板３ｂ、３ｂの後端付近に形成されたヒンジ部１３を支点として保持基体２に対し回動可能とされており、図１に示す保持基体２に対し開放した状態と、図２に示す保持基体２に対し閉じた状態との間で回動可能である。
ヒンジ部１３は、蓋部３の側板３ｂ、３ｂの凸部が本体部５の側板９ｂ、９ｂの凹部に嵌合する構造であってもよいし、側板３ｂ、３ｂの凹部が側板９ｂ、９ｂの凸部に嵌合する構造であってもよい。
ヒンジ部１３は側板３ｂ、９ｂに設けられているため、回動する蓋部３は押さえ片６に沿う方向に移動する。
【００１７】
図３および図４に示すように、一方の側板３ｂの内面には、内方に膨出する押圧部１４が設けられている。図示例の押圧部１４は、側板３ｂを厚肉化することで形成されている。
押圧部１４の膨出高さは、押さえ片６の当接部６ｂを内方に押圧可能となるように設定される。
押圧部１４は、当接部６ｂを含む高さ範囲および長さ範囲に形成され、当接部６ｂの全体を押圧可能とするのが好ましい。
【００１８】
図２および図３に示すように、側板３ｂの前端近傍には、蓋部３を閉じた状態で一端筒部７の係止凸部１２に係合する係止凹部１１が形成されている。
【００１９】
次に、光ファイバ保持部材１の動作について説明する。
図１に示すように、積層した複数の光ファイバテープ心線４を本体部５に挿通させることにより、保持基体２を光ファイバテープ心線４に装着する。光ファイバテープ心線４は、底板５ａおよび天板５ｃに平行な状態で本体部５に受容される。
押さえ片６の当接部６ｂは、複数の光ファイバテープ心線４の一側部４ａに当接する。
【００２０】
図２に示すように、蓋部３を本体部５に向けて回動させて閉止状態とする過程では、蓋部３の一方の側板３ｂは押さえ片６に沿って移動し、押圧部１４が押さえ片６に重なった状態となる。
蓋部３が回動させる過程では、例えば、押圧部１４が当接部６ｂの傾斜面６ｃに当接し、蓋部３をさらに回動させることで押圧部１４が傾斜面６ｃの傾斜に従って当接部６ｂを内方に押圧する。
蓋部３は、保持基体２に沿う方向まで回動させ、係止凹部１１を本体部５の係止凸部１２に係止させることによって、保持基体２に対する閉止状態が維持される。
【００２１】
この閉止状態では、蓋部３の押圧部１４が押さえ片６の当接部６ｂの外面を内方に（すなわち本体部５に向けて）押圧し、これによって、当接部６ｂが光ファイバテープ心線４の一側部４ａを他側方に（すなわち本体部５に向けて）押圧する。
上述のように、当接部６ｂの内面は、本体部５の側板５ｂ内面に平行であるため、光ファイバテープ心線４は、当接部６ｂと側板５ｂとの間で幅方向の位置が揃った状態で精度よく位置決めされて集合される。
この光ファイバ保持部材１は、熱収縮チューブと異なり、加熱の必要がなく、加熱による高温で光ファイバテープ心線４に悪影響が及ぶ心配がない。
【００２２】
図１に示すように、係止凸部１２に対する係止凹部１１の係合を外すとともに、蓋部３を上方に回動させて開放状態とすると、押さえ片６による押圧力が弱まるため、光ファイバテープ心線４を長さ方向に移動させるのが容易になり、その長さ方向位置の調整を容易に行うことができる。
【００２３】
図５は、本発明の第２の実施形態である光ファイバ保持部材２１を示すもので、この光ファイバ保持部材２１は、本体部５の両側部に、切り欠き５ｆ（底板、天板および側板の切り欠き）が形成されている。
他端筒部９の両側板９ｂ、９ｂには、それぞれ押さえ片６、６が設けられ、これら押さえ片６、６はそれぞれ光ファイバテープ心線４の両側部に当接可能である。
蓋部３の両側板３ｂ、３ｂの内面には、それぞれ押圧部１４、１４が形成され、これらは当接部６ｂ、６ｂを内方に押圧可能となっている。
光ファイバ保持部材２１では、光ファイバテープ心線４が当接部６ｂ、６ｂにより両側方から押圧されるため、精度よく位置決めできる。
【００２４】
図６は、本発明の第３の実施形態である光ファイバ保持部材３１を示すものである。
この光ファイバ保持部材３１では、蓋部３３は、底板３３ａと、その一側縁に立設された側板３３ｂと、その上縁に設けられた天板３３ｃとを備えている。
蓋部３３は、底板３３ａおよび天板３３ｃに設けられたヒンジ部１３において、本体部５の底板９ａおよび天板９ｃに連結されており、仮想線で示す開放状態から実線で示す閉止状態の間で側方に回動可能である。
【００２５】
蓋部３３は、側板３３ｂの内面に押圧部１４が形成されており、蓋部３を回動させて閉止状態とする過程では、蓋部３の側板３３ｂは押さえ片６に交差する方向（図中矢印方向）に移動して押圧部１４が押さえ片６に重なった状態となる。
この閉止状態にあっては、押圧部１４が押さえ片６の当接部６ｂの外面を内方に押圧することによって、当接部６ｂが光ファイバテープ心線４の一側部４ａを他側方に（すなわち本体部５に向けて）押圧し、これによって、光ファイバテープ心線４は幅方向の位置が揃った状態で精度よく位置決めされて集合される。
【００２６】
この際、底板３３ａおよび天板３３ｃに形成された係止凹部１１は、一端筒部７の底板７ａおよび天板７ｃに形成された係止凸部１２に係止し、これによって蓋部３の閉止状態が維持される。
光ファイバ保持部材３１では、蓋部３の押圧部１４が、押さえ片６を略側方から押圧するため、押さえ片６に無理な力が加えられず、蓋部３の閉動作がスムーズになる。
【符号の説明】
【００２７】
１、２１、３１・・・光ファイバ保持部材、２・・保持基体、３、３３・・・蓋部、４・・・光ファイバテープ心線、５・・・本体部、６・・・押さえ片、１３・・・ヒンジ部、１４・・・押圧部。
【図１】
2011081311.tif 000003
【図２】
2011081311.tif 000004
【図３】
2011081311.tif 000005
【図４】
2011081311.tif 000006
【図５】
2011081311.tif 000007
【図６】
2011081311.tif 000008